(57)【要約】【課題】回転軸を共有して同一形状の他のスプールと連結することが可能であり、連結されたスプールのそれぞれが独立に回転でき、しかも回転が滑らかで抵抗が少ない釣糸用スプールを提供すること。【解決手段】同一形状の他のスプール１’と連結可能な釣糸用スプール１であって、ドラム２と、該ドラム２の両端に設けられた第１フランジ３及び第２フランジ４と、フック５及び突起６とを備え、前記フック５は第１フランジの外面１０よりも外側の位置に設けられ、前記突起６は第２フランジの外面１１よりも内側の位置に設けられ、他のスプール１’と連結された際に、フック先端の接触位置１２から第１フランジの外面１０までの回転軸方向の距離が、突起表面の接触位置１３’から第２フランジの外面１１までの回転軸方向の距離よりも大きい釣糸用スプール１である。【選択図】　　　　図３
2004024100.tif 000002
【特許請求の範囲】
【請求項１】
回転軸を共有して同一形状の他のスプールと連結可能な釣糸用スプールであって、
外面に釣糸が巻回されるドラムと、該ドラムの両端に設けられた前記回転軸に垂直な第１フランジ及び第２フランジと、他のスプールと連結するためのフック及び突起とを備え、
前記フックは第１フランジの外面よりも外側の位置に設けられ、前記突起は第２フランジの外面よりも内側の位置に設けられ、
他のスプールと連結された際に、前記フック先端の接触位置において他のスプールの突起表面と、前記突起表面の接触位置において他のスプールのフック先端と、それぞれ接触することが可能であって、
フック先端の接触位置から第１フランジの外面までの回転軸方向の距離が、突起表面の接触位置から第２フランジの外面までの回転軸方向の距離よりも大きく、
他のスプールと連結された際に、連結されたスプールのそれぞれが独立に回転できることを特徴とする釣糸用スプール。
【請求項２】
ドラム内面の第１フランジ側にフックが形成され、ドラム内面の第２フランジ側に突起が形成されてなる請求項１記載の釣糸用スプール。
【請求項３】
前記フック先端において、他のスプールの突起表面と接触することの可能な部分が、回転軸に垂直な円形である請求項１又は２記載の釣糸用スプール。
【請求項４】
前記突起表面において、他のスプールのフック先端と接触することの可能な部分が、回転軸に垂直な円形である請求項１〜３のいずれか記載の釣糸用スプール。
【請求項５】
フック先端の接触位置から第１フランジの外面までの回転軸方向の距離が、突起表面の接触位置から第２フランジの外面までの回転軸方向の距離よりも５〜３００μｍ大きい請求項１〜４のいずれか記載の釣糸用スプール。
【請求項６】
フック先端の接触位置から回転軸までの距離が、フランジ外周から回転軸までの距離の０．４倍以上である請求項１〜５のいずれか記載の釣糸用スプール。
【発明の詳細な説明】
【０００１】
【発明の属する技術分野】
本発明は、釣糸用スプール、特に、回転軸を共有して同一形状の他のスプールと連結可能な釣糸用スプールに関する。
【０００２】
【従来の技術】
釣人は、釣場において、号柄の異なる複数の釣糸を使い分けることが多い。このような場合には、異なる号柄の釣糸が巻かれた複数のスプールを持ち、釣場を移動しながら、すばやく所望の号柄の釣糸を取り出せることが重要である。しかしながら、ポケットや道具入れの中にバラバラのスプールを入れていたのでは、かさばってしまうし、適当なスプールを選び出すのに時間がかかる。したがって、所望の号柄の釣糸を取り出しやすいようにして、複数のスプールをコンパクトに携帯したいところである。
【０００３】
米国特許第５３５４０１２号公報には、同一形状のスプールとサイド・バイ・サイドの関係で連結可能であって、回転軸を共有して連結されたスプール同士が相対的に回転可能である、釣糸用スプールが記載されている。当該スプールでは、連結されたスプール同士がバラバラになることはなく、釣糸の号柄の選択が容易である。また、連結された複数のスプールのうちの一つだけを独立して回転させることができるから、所望の号柄の釣糸だけを引き出すこともできる。
【０００４】
米国特許第５３５４０１２号公報記載のスプールを同一形状の他のスプールと連結した時の側面断面図を図５に示す。また図５において二点鎖線で囲まれた連結部分の拡大断面図を図６に示す。当該スプール２０と同一形状の他のスプール２０’とは、円筒壁２１’と円筒ハブ２２とがスナップ・フィット方式で係合することによって連結される。このとき、円筒壁２１’の外面２３’はその自由端２４’から内側に向かってテーパーを有しており、円筒ハブ２２の内面２５もその自由端２６から内側に向かってテーパーを有している。そして、円筒ハブ２２の自由端２６での内径を、円筒壁２１’の自由端２４’での外径よりも僅かに小さくすることで着脱自在に係合されるものである。
【０００５】
【発明が解決しようとする課題】
米国特許第５３５４０１２号公報に記載されたスプール２０は、テーパーを有する円筒壁２１’の外面２３’と、テーパーを有する円筒ハブ２２の内面２５とが相互に接触した状態で、同一形状の他のスプール２０’と係合される。したがって、円筒壁２１’の外面２３’と円筒ハブ２２の内面２５とが接触するために接触面積が大きくなり、スプールが独立に回転する際の摩擦抵抗が大きい。また、円筒壁２１’の自由端２４’、円筒ハブ２２の自由端２６又はフランジの外面が隣接するスプールと接触することになり、ここでも摩擦抵抗を生じることになる。
【０００６】
釣糸を引き出す際に、スプールの回転に対する抵抗が大きい場合には、引き出される釣糸に不必要な張力が掛かることになる。その結果、引き出された釣糸が縒れたり、伸びたりするおそれがあって好ましくない。特に、引き出される釣糸が細い場合にはこの点は重要である。また、スプールの回転に対する抵抗が大きい場合には、釣場において素早く釣糸を引き出そうとする際の障害になることもある。
【０００７】
本発明は上記課題を解決するためになされたものであり、連結された複数のスプールのうちの一つだけを独立して回転させることができ、所望の号柄の釣糸だけを容易に引き出すことができる釣糸用スプールを提供するものである。特に、釣糸を引き出す際の回転に対する抵抗が小さく、釣糸に縒れや伸びを生じさせることなく、素早く所望の釣糸を引き出すことのできる釣糸用スプールを提供するものである。
【０００８】
【課題を解決するための手段】
上記課題は、回転軸を共有して同一形状の他のスプールと連結可能な釣糸用スプールであって、
外面に釣糸が巻回されるドラムと、該ドラムの両端に設けられた前記回転軸に垂直な第１フランジ及び第２フランジと、他のスプールと連結するためのフック及び突起とを備え、
前記フックは第１フランジの外面よりも外側の位置に設けられ、前記突起は第２フランジの外面よりも内側の位置に設けられ、
他のスプールと連結された際に、前記フック先端の接触位置において他のスプールの突起表面と、前記突起表面の接触位置において他のスプールのフック先端と、それぞれ接触することが可能であって、
フック先端の接触位置から第１フランジの外面までの回転軸方向の距離が、突起表面の接触位置から第２フランジの外面までの回転軸方向の距離よりも大きく、
他のスプールと連結された際に、連結されたスプールのそれぞれが独立に回転できることを特徴とする釣糸用スプールを提供することによって解決される。
【０００９】
本発明のスプールは、フックと突起とが相互に係合することによって同一形状の他のスプールと連結されるものである。このとき、フック先端と突起表面とが相互に接触される位置からフランジの外面までの距離をコントロールすることによって、連結されるスプールのフランジ外面同士の間に一定のクリアランスを有することが可能である。一定のクリアランスを有することによって、スプール同士が相互に接触する部分に不要な力がかかることがなく、独立して回転する際の摩擦抵抗を小さくすることができる。
【００１０】
このとき、ドラム内面の第１フランジ側にフックが形成され、ドラム内面の第２フランジ側に突起が形成されてなることが好適である。円筒状のドラムの内面に直接フックと突起とを設けることによって、スプールの構成をシンプルなものにすることができる。
【００１１】
前記フック先端において、他のスプールの突起表面と接触することの可能な部分が、回転軸に垂直な円形であることが好ましい。また、前記突起表面において、他のスプールのフック先端と接触することの可能な部分が、回転軸に垂直な円形であることも好ましい。本発明のスプールが同一形状の他のスプールと連結された際に、互いに独立して回転するためには、フック及び突起のいずれもが回転軸に垂直な円周上に配置されることが重要である。このときフック又は突起が相互に接触可能な部分が連続した円形であることにより、スプールが滑らかに回転できる。
【００１２】
フック先端の接触位置から第１フランジの外面までの回転軸方向の距離が、突起表面の接触位置から第２フランジの外面までの回転軸方向の距離よりも５〜３００μｍ大きいことが好適である。この距離は連結されたスプールのフランジの外面の間のクリアランスに相当するものであるが、これを一定範囲に保つことで接触抵抗を小さくすることができると同時に、連結されたスプールを安定して回転させることができる。また、フック先端の接触位置から回転軸までの距離が、フランジ外周から回転軸までの距離の０．４倍以上であることも好ましい。回転軸から離れた位置でフックと突起とが係合する方がスプールの回転が安定するからである。
【００１３】
【発明の実施の形態】
以下、図面を用いて本発明を詳細に説明する。図１は本発明のスプールの一例を示す側面図である。図２はその正面図である。図３は同一形状の他のスプールと連結された状態の図１のスプールの断面図である。図４は図３において二点鎖線で囲まれた連結部分の拡大断面図である。
【００１４】
図１〜４に示すように、本発明の釣糸用スプール１は、ドラム２と、該ドラム２の両端に設けられた第１フランジ３及び第２フランジ４と、他のスプール１’と連結するためのフック５及び突起６とを備えたものである。
【００１５】
ドラム２は、回転軸７と中心軸を共有する実質的に円筒状の部材であり、その外面８に釣糸が巻回される。また、ドラム２の両端には第１フランジ３及び第２フランジ４が設けられて、両フランジ３，４の間に釣糸が巻回される。フランジ３，４の外周が円形であり、かつ第１フランジ３と第２フランジ４の外径が同じであることによって、釣糸を引き出しやすい。フランジ３，４の外面は平面であり、連結された他のスプールのフランジの外面との間に一定のクリアランスを維持することができる。フランジ３，４の外周には釣糸の端部を固定するための切り込みなどが設けられてもよい。フランジ３，４の肉厚はドラム２の肉厚よりも薄くなっており、連結された際にかさばらないようにしてある。
【００１６】
図１〜４では、ドラムの内面９の第１フランジ側にフック５が形成され、ドラムの内面９の第２フランジ側に突起６が形成されている。本発明のスプールにおいて、フック及び突起が形成される位置は特に限定されず、ドラムとは別個にドラムよりも内径側に円筒状の部材を別途形成して、その内面又は外面にフック及び突起を形成することもできる。しかしながら、構造をシンプルなものにして、軽量のスプールを提供するには、ドラムの内面９にフック５及び突起６を配置することが望ましい。
【００１７】
ここで、フック５は第１フランジの外面１０よりも外側の位置に設けられ、突起６は第２フランジの外面１１よりも内側の位置に設けられている。他のスプール１’と連結される場合には、フック５と他のスプール１’の突起６’とが係合することによって連結される。回転軸７と平行な方向に押し込むことで容易に連結でき、また引張ることで容易に分離できる。プラスチックでスプールを形成した場合には、フック５と突起６’とを係合させる際に係合音を発するので、確実に連結できたことを釣人が確認しやすい。
【００１８】
他のスプール１’と連結された際には、フック先端の接触位置１２において他のスプール１’の突起表面の接触位置１３’と接触することが可能である。このとき、フック先端の接触位置１２から第１フランジの外面１０までの回転軸方向の距離（Ａ）が、突起表面の接触位置１３’から第２フランジの外面１１’までの回転軸方向の距離（Ｂ）よりも大きいことが重要である。こうすることによって、フック５と突起６’とが接触した状態において、隣接するフリンジの外面同士の間にＡ−Ｂで示される量のクリアランスを設けることができる。図面の例ではクリアランス（Ａ−Ｂ）は５０μｍである。このクリアランスの値は通常５〜３００μｍであることが好ましい。５μｍ未満の場合には、成形寸法の精度のコントロールが困難になる場合があるし、３００μｍを超えたのでは係合部分のガタツキが大きくなってスプールの回転が安定しなくなるおそれがある。Ａ−Ｂの値は、好適には１０μｍ以上であり、また好適には２００μｍ以下である。
【００１９】
突起６’の表面の接触位置１３’において、突起表面に接する平面と回転軸とのなす角度（θ）は約４５°である。この角度（θ）が小さすぎると、当該接触位置１３’が、成形寸法のバラツキやスプール間に働く応力によってズレを生じやすく、適切なクリアランスを保ちにくい。この点から、角度（θ）は２０°以上であることが好ましく、３０°以上であることがより好ましい。一方角度（θ）が大きすぎると連結を解除する際にフックを破損しやすくなることがあり、通常９０°以下である。
【００２０】
フック５の先端において、他のスプール１’の突起６’の表面と接触することの可能な部分は、回転軸に垂直な連続した円形である。すなわち、図１〜４に示した例におけるフック５は円周上に連続したものであって、その断面形状が鉤状のものである。このように連続的に形成されているので、他のスプール１’の突起６’と係合した状態で滑らかに回転することができる。一方、他のスプール１’の突起６’の表面において、スプール１のフック５の先端と接触することの可能な部分は、回転軸７に垂直な連続した円形である。すなわち、図１〜４に示した例における突起６’は、それが連続した凸条として形成されているものである。このように連続的に形成されているので、スプール１のフック５と係合した状態で滑らかに回転することができる。図１〜４ではフック５、突起６ともに連続した円形に形成されているので、係合が安定しており、回転も滑らかである。フック又は突起は不連続に形成されていても構わないが、その両者ともに不連続に形成された場合には、回転が滑らかでなくなる場合がある。
【００２１】
また、図１〜４では、フック先端の接触位置１２から回転軸７までの距離（Ｃ）が、フランジ外周１４から回転軸７までの距離（Ｄ）の０．６２倍である。この比（Ｃ／Ｄ）が大きいということは、連結されたスプール１，１’が独立に回転するときに支持される位置がフランジ外周１４に近づくということであり、同じクリアランス（Ａ−Ｂ）であっても、スプールの回転が安定する。この点からは比（Ｃ／Ｄ）が０．４倍以上であることが好ましく、０．５倍以上であることがより好ましい。釣糸を巻く部分を確保する必要があることから、通常比（Ｃ／Ｄ）は０．９倍以下である。
【００２２】
以上説明したような本発明のスプールの材料は特に限定されないが、プラスチック製であることが好ましい。使用されるプラスチックとしては、ポリプロピレン、ＡＢＳ、ＡＳ、ポリ塩化ビニル、ポリスチレンなどの熱可塑性樹脂が例示される。このような熱可塑性樹脂を使用して好適には射出成形によって成形される。
【００２３】
本発明のスプールに巻かれる釣糸は特に限定されず、道糸、ハリス、テーパーラインなどを巻きつけることができる。特に、ハリスなどのように細い釣糸を巻く際に、縒れたり伸びたりすることなく引き出すことが可能であって有用である。異なる号柄の釣糸を巻いた複数のスプールを連結して、ポケットや道具入れの中に入れて、釣場において所望の号柄の釣糸を容易にかつ素早く引き出して使用することができる。
【００２４】
【発明の効果】
こうして得られた本発明のスプールは、回転軸を共有して同一形状の他のスプールと連結することが可能である。そして、他のスプールと連結された際に、連結されたスプールのそれぞれが独立に回転でき、しかも回転が滑らかで抵抗が少ないものである。
【図面の簡単な説明】
【図１】本発明のスプールの一例を示す側面図である。
【図２】図１のスプールの正面図である。
【図３】同一形状の他のスプールと連結された状態の図１のスプールの断面図である。
【図４】図３において二点鎖線で囲まれた連結部分の拡大断面図である。
【図５】米国特許第５３５４０１２号公報記載のスプールを同一形状の他のスプールと連結した時の側面断面図である。
【図６】図５において二点鎖線で囲まれた連結部分の拡大断面図である。
【符号の説明】
１　スプール
１’　他のスプール
２　ドラム
３　第１フランジ
４　第２フランジ
５、５’　フック
６、６’　突起
１２　フック先端の接触位置
１３’　突起表面の接触位置
【図１】
2004024100.tif 000003
【図２】
2004024100.tif 000004
【図３】
2004024100.tif 000005
【図４】
2004024100.tif 000006
【図５】
2004024100.tif 000007
【図６】
2004024100.tif 000008